(57)【要約】【課題】一連の操作の対象ではない表示要素が、一連の操作に追従する変化を表示する画面に表示されないようにする。【解決手段】画面に第１の表示要素及び第２の表示要素を表示させる表示処理部１１２と、入力装置に入力された操作を受け付けるユーザ操作受付部１０３と、を備え、表示処理部１１２は、ユーザ操作受付部１０３が、第１の表示要素を対象とする一連の操作を受け付けた場合に、画面に第２の表示要素を表示させずに、一連の操作に追従する第１の表示要素の変化を画面に表示させる。【選択図】図２
2018025850.tif 000002
【特許請求の範囲】
【請求項１】
画像を表示する画面を備える表示装置及び操作を入力するための入力装置を制御する表示制御装置であって、
前記画面に第１の表示要素及び第２の表示要素を表示させる表示処理部と、
前記入力装置に入力された操作を受け付けるユーザ操作受付部と、を備え、
前記表示処理部は、前記ユーザ操作受付部が、前記画面における前記第１の表示要素を対象とする一連の操作を受け付けた場合に、前記画面に前記第２の表示要素を表示させずに、当該一連の操作に追従して表示方法が変化した前記第１の表示要素を前記画面に表示させること
を特徴とする表示制御装置。
【請求項２】
前記表示処理部は、前記一連の操作が終了した場合には、前記画面に前記第２の表示要素を表示させること
を特徴とする請求項１に記載の表示制御装置。
【請求項３】
前記一連の操作に対応する追従動作を特定する操作応答管理部と、
前記第１の表示要素の第１の表示方法を示す追従表示情報を記憶する追従表示情報記憶部と、
前記追従表示情報に基づいて、前記追従動作に応じて変化した第２の表示方法で前記第１の表示要素を表示する画面表示情報を生成する追従描画実行部と、
前記画面表示情報に基づいて、前記第２の表示方法で前記第１の表示要素を示す表示データを生成し、当該表示データを前記表示装置に送る画面描画部と、を備えること
を特徴とする請求項１又は２に記載の表示制御装置。
【請求項４】
前記追従描画実行部は、前記特定された追従動作に応じて、前記第１の表示要素の全体を表示する表示方法を示すように前記追従表示情報を更新して、当該更新された追従表示情報から前記第２の表示方法を特定することで、前記画面表示情報を生成すること
を特徴とする請求項３に記載の表示制御装置。
【請求項５】
画像を表示する画面を備える表示装置、操作を入力するための入力装置、並びに、当該表示装置及び当該入力装置を制御する表示制御装置を備える表示制御システムであって、
前記表示制御装置は、
前記画面に第１の表示要素及び第２の表示要素を表示させる表示処理部と、
前記入力装置に入力された操作を受け付けるユーザ操作受付部と、を備え、
前記表示処理部は、前記ユーザ操作受付部が、前記画面における前記第１の表示要素を対象とする一連の操作を受け付けた場合に、前記画面に前記第２の表示要素を表示させずに、当該一連の操作に追従して表示方法が変化した前記第１の表示要素を前記画面に表示させること
を特徴とする表示制御システム。
【請求項６】
画面に第１の表示要素及び第２の表示要素を表示し、
前記第１の表示要素を対象とする一連の操作を受け付けた場合に、前記画面に前記第２の表示要素を表示させずに、当該一連の操作に追従して表示方法が変化した前記第１の表示要素を前記画面に表示すること
を特徴とする表示制御方法。
【発明の詳細な説明】
【技術分野】
【０００１】
本発明は、表示制御装置、表示制御システム及び表示制御方法に関し、特に、一連の操作に追従する変化を表示する表示制御装置、表示システム及び表示制御方法に関する。
【背景技術】
【０００２】
近年、ユーザインタフェースにおいて、ドラッグ操作によるスクロール、及び、２本指でのピンチ操作による拡大又は縮小等、ユーザの一連の操作に追従して画面表示を変更するアニメーションが取り入れられている。このようなアニメーションは、一連の操作の経過又は表示の前後関係を示すために有効な手段である。
【０００３】
しかしながら、滑らかなアニメーションを実現するには、高速で画面表示を更新する必要があり、ＣＰＵ（Ｃｅｎｔｒａｌ  Ｐｒｏｃｅｓｓｉｎｇ  Ｕｎｉｔ）に高い処理能力が必要となる。
また、処理能力の低い表示装置１３１の場合、アニメーションの表示に遅れが生じ、逆に操作性及び分かりやすさが低下してしまう場合がある。
【０００４】
特許文献１には、スクロール及び回転等の描画イベント時において、描画データの再利用による描画と、通常の描画とを適切に切り換えながら描画を高速に行う方法が記載されている。
【先行技術文献】
【特許文献】
【０００５】
【特許文献１】特開２０１３−２１８４７８号公報
【発明の概要】
【発明が解決しようとする課題】
【０００６】
通常、表示画像を描画する場合には、画像及びアイコン等の表示要素が背面から順次描画される。このような場合、表示要素が重なっている領域において、重複して描画処理が行われるため、処理に時間がかかってしまう。特許文献１に記載された方法は、現に表示されている画面データを再利用することで次の表示画面データを作成するため、アニメーション自体を高速に表示することができる点で有効である。
【０００７】
しかしながら、アニメーション処理を行うエリア内において、アニメーションの対象外の固定表示要素が前面に存在する場合、特許文献１に記載の方法では、このような固定表示要素を画面情報だけで特定することができず、固定表示要素も含めてアニメーションが行われてしまう。
【０００８】
そこで、本発明は、一連の操作の対象ではない表示要素が、一連の操作に追従する変化を表示する画面に表示されないようにすることを目的とする。
【課題を解決するための手段】
【０００９】
本発明の一態様に係る表示制御装置は、画像を表示する画面を備える表示装置及び操作を入力するための入力装置を制御する表示制御装置であって、前記画面に第１の表示要素及び第２の表示要素を表示させる表示処理部と、前記入力装置に入力された操作を受け付けるユーザ操作受付部と、を備え、前記表示処理部は、前記ユーザ操作受付部が、前記画面における前記第１の表示要素を対象とする一連の操作を受け付けた場合に、前記画面に前記第２の表示要素を表示させずに、当該一連の操作に追従して表示方法が変化した前記第１の表示要素を前記画面に表示させることを特徴とする。
【００１０】
本発明の一態様に係る表示制御システムは、画像を表示する画面を備える表示装置、操作を入力するための入力装置、並びに、当該表示装置及び当該入力装置を制御する表示制御装置を備える表示制御システムであって、前記表示制御装置は、前記画面に第１の表示要素及び第２の表示要素を表示させる表示処理部と、前記入力装置に入力された操作を受け付けるユーザ操作受付部と、を備え、前記表示処理部は、前記ユーザ操作受付部が、前記画面における前記第１の表示要素を対象とする一連の操作を受け付けた場合に、前記画面に前記第２の表示要素を表示させずに、当該一連の操作に追従して表示方法が変化した前記第１の表示要素を前記画面に表示させることを特徴とする。
【００１１】
本発明の一態様に係る表示制御方法は、画面に第１の表示要素及び第２の表示要素を表示し、前記第１の表示要素を対象とする一連の操作を受け付けた場合に、前記画面に前記第２の表示要素を表示させずに、当該一連の操作に追従して表示方法が変化した前記第１の表示要素を前記画面に表示することを特徴とする。
【発明の効果】
【００１２】
本発明の一態様によれば、一連の操作の対象とはならなかった表示要素が、一連の操作に追従する変化を表示する画面に表示されないようにすることができる。
【図面の簡単な説明】
【００１３】
【図１】実施の形態１に係る表示制御装置及びその周辺機器を説明するためのブロック図である。
【図２】実施の形態１に係る表示制御装置の構成を概略的に示すブロック図である。
【図３】実施の形態１における表示要素情報の一例を示す概略図である。
【図４】（Ａ）及び（Ｂ）は、実施の形態１に係る表示制御装置のハードウェア構成例を示す概略図である。
【図５】実施の形態１に係る表示制御装置の動作を示すフローチャートである。
【図６】（Ａ）〜（Ｃ）は、実施の形態１における表示装置に表示される画像例を示す概略図である。
【発明を実施するための形態】
【００１４】
実施の形態１．
図１は、実施の形態１に係る表示制御装置１００及びその周辺機器を説明するためのブロック図である。
表示制御装置１００は、ユーザ操作通信線１２０を介して、入力装置１３０に接続されている。表示制御装置１００は、入力装置１３０からユーザ操作情報を取得する。
また、表示制御装置１００は、表示データ通信線１２１を介して、表示装置１３１に接続されている。表示制御装置１００は、表示装置１３１に表示データを提供する。
なお、表示制御装置１００、入力装置１３０及び表示装置１３１により表示制御システムが構成される。
【００１５】
入力装置１３０は、ユーザが表示装置１３１に対して何らかの操作を行うための装置であり、タッチセンサ、ボタン、スイッチ、ジェスチャを認識するためのカメラ、距離センサ、及び、離れた場所にある別装置からの入力を受け付ける通信装置等が含まれる。
表示装置１３１は、表示データに基づいて表示を行う画面を備える。
本実施の形態では、入力装置１３０及び表示装置１３１は、静電式のタッチパネルである。このため、入力装置１３０は、表示装置１３１の画面を介して、ユーザからの操作を受ける。
【００１６】
図２は、表示制御装置１００の構成を概略的に示すブロック図である。
表示制御装置１００は、表示要素記憶部１０１と、入力インターフェース部（以下、入力Ｉ／Ｆ部という）１０２と、ユーザ操作受付部１０３と、操作応答管理部１０４と、追従表示情報作成部１０５と、追従表示情報記憶部１０６と、追従描画実行部１０７と、画面表示情報記憶部１０８と、画面描画部１０９と、表示インターフェース部（以下、表示Ｉ／Ｆ部という）１１０と、表示要素再描画部１１１とを備える。
【００１７】
ここで、表示要素記憶部１０１、操作応答管理部１０４、追従表示情報作成部１０５、追従表示情報記憶部１０６、追従描画実行部１０７、画面表示情報記憶部１０８、画面描画部１０９及び表示要素再描画部１１１により表示処理部１１２が構成される。
表示処理部１１２は、表示装置１３１の画面に第１の表示要素及び第２の表示要素を表示させるとともに、ユーザ操作受付部１０３が表示装置１３１の画面における第１の表示要素を対象とする一連の操作を受け付けた場合に、その画面に第２の表示要素を表示させずに、一連の操作に追従する第１の表示要素の変化を画面に表示させる。
【００１８】
表示要素記憶部１０１は、表示要素の表示方法を示す表示要素情報を記憶する。例えば、表示要素記憶部１０１は、画面上に表示する表示要素の画像を示す画像データ、その配置を示す位置情報、及び、そのサイズを示すサイズ情報を含む表示要素情報を記憶する。ここで、表示装置１３１の画面の解像度は、横８００×縦６００ピクセルであり、その画面の座標は、左上の角から右方向をｘ軸、その角から下方向をｙ軸とする。
【００１９】
図３は、表示要素情報の一例を示す概略図である。
表示要素情報１０１ａは、表示要素列１０１ｂと、位置列１０１ｃと、サイズ列１０１ｄと、画像列１０１ｅとを有し、各行を表示要素毎のレコードとするテーブル形式の情報である。
表示要素列１０１ｂは、表示要素を識別するための表示要素識別情報としての表示要素名を格納する。
位置列１０１ｃは、表示要素を配置する画面上の位置を（ｘ，ｙ）の座標で示す位置情報を格納する。
サイズ列１０１ｄは、表示要素の画像のサイズを示すサイズ情報を格納する。
画像列１０１ｅは、表示要素の画像データを格納する。
【００２０】
入力Ｉ／Ｆ部１０２は、入力装置１３０との間で情報を送受信する接続インターフェースである。例えば、入力Ｉ／Ｆ部１０２は、入力装置１３０からのユーザ操作情報を受信する。
【００２１】
ユーザ操作受付部１０３は、入力Ｉ／Ｆ部１０２からユーザ操作情報を受け取り、ユーザ操作情報から、タップ及びドラッグ等のユーザによる一連の操作である画面操作アクションを検出する。
操作応答管理部１０４は、ユーザ操作受付部１０３で検出された画面操作アクションに従って、スクロール及び拡縮等の追従動作を行う対象としての表示要素及び追従動作を決定する。
【００２２】
追従表示情報作成部１０５は、操作応答管理部１０４で決定された追従動作中に表示される表示要素の画像を表示するための追従表示情報を作成する。例えば、追従表示情報作成部１０５は、操作応答管理部１０４が決定した追従動作を行う表示要素に対応するレコードを表示要素情報１０１ａから抽出して、この抽出したレコードにより追従表示情報を作成する。
追従表示情報記憶部１０６は、追従表示情報作成部１０５が作成した追従表示情報を記憶する。
【００２３】
追従描画実行部１０７は、追従表示情報記憶部１０６に記憶されている追従表示情報に基づいて、ユーザ操作に追従するように追従表示情報を更新する。言い換えると、追従描画実行部１０７は、追従表示情報記憶部１０６に記憶されている追従表示情報に基づいて、操作応答管理部１０４で決定された追従動作に応じて表示要素の表示方法を変化させる。例えば、追従表示情報記憶部１０６に、第１の表示情報の第１の表示方法を示す追従表示情報が記憶されている場合に、追従描画実行部１０７は、追従動作に応じて第１の表示方法から第２の表示方法に変化するように、追従表示情報を更新する。具体的には、例えば、追従描画実行部１０７は、追従動作に従って、追従表示情報に含まれている画像データの画像を表示する位置及びサイズの少なくとも何れか一方を更新する。
【００２４】
画面表示情報記憶部１０８は、液晶ディスプレイ等の表示装置１３１の画面に直接表示される画像を示す画面表示情報を記憶する。
画面描画部１０９は、画面表示情報記憶部１０８に記憶されている画面表示情報を読み出し、読み出された画面表示情報に含まれている画像データに基づいて、その画面表示情報に含まれている位置及びサイズの画像を描画して、その画像の表示データを生成する。そして、画面描画部１０９は、その表示データを表示Ｉ／Ｆ部１１０を介して、表示装置１３１に与える。これにより、表示装置１３１は、表示データに基づいて、表示を行うことができる。
【００２５】
表示要素再描画部１１１は、ユーザ操作終了後に、表示要素記憶部１０１に記憶されている表示要素情報を参照して、ユーザ操作中に表示されていなかった表示要素に関するレコードを画面表示情報記憶部１０８に記憶されている画面表示情報に追加することで、その表示を復元する。言い換えると、表示要素再描画部１１１は、ユーザによる一連の操作が終了した場合には、表示装置１３１に操作対象とはならなかった表示要素を表示させる。
【００２６】
図４（Ａ）及び（Ｂ）は、表示制御装置１００のユーザ操作受付部１０３、操作応答管理部１０４、追従表示情報作成部１０５、追従表示情報記憶部１０６、追従描画実行部１０７、画面描画部１０９及び表示要素再描画部１１１のハードウェア構成例を示す概略図である。
ユーザ操作受付部１０３、操作応答管理部１０４、追従表示情報作成部１０５、追従表示情報記憶部１０６、追従描画実行部１０７、画面描画部１０９及び表示要素再描画部１１１の一部又は全部は、例えば、図４（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。
【００２７】
また、ユーザ操作受付部１０３、操作応答管理部１０４、追従表示情報作成部１０５、追従表示情報記憶部１０６、追従描画実行部１０７、画面描画部１０９及び表示要素再描画部１１１の一部又は全部は、例えば、図４（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００２８】
なお、表示要素記憶部１０１は、図４（Ａ）に示されているメモリ１０、又は、図示してはいない、不揮発性のメモリにより構成することができ、追従表示情報記憶部１０６及び画面表示情報記憶部１０８は、図４（Ａ）に示されているメモリ１０、又は、図示してはいない、不揮発性のメモリ又は揮発性のメモリにより構成することができる。
【００２９】
次に、表示制御装置１００の動作について説明する。
図５は、表示制御装置１００の動作を示すフローチャートである。
図６（Ａ）〜（Ｂ）は、表示装置１３１に表示される画像例を示す概略図である。
まず、ユーザ操作受付部１０３が、入力装置１３０からユーザ操作情報を取得する（Ｓ１０）。
ここで、入力装置１３０が、静電式タッチセンサの場合、ユーザから一連の操作を受けると、取得されるユーザ操作情報は、ユーザがタッチした画面上の座標値の配列となる。ここでは、図３に示されている表示要素情報１０１ａに基づいて、図６（Ａ）に示されている画像ＩＭが表示装置１３１の画面に表示されており、その画面において、ユーザが、２点のタッチ点の距離を広げる一連の操作であるピンチアウトを行い、時刻Ｔ１〜時刻Ｔ４までの時系列順に、以下のような座標値の配列が取得されたものとする。
時刻Ｔ１：（２００，２００）、（４６０，２７５）
時刻Ｔ２：（１８０，１９０）、（４８０，２８０）
時刻Ｔ３：（１７０，１８０）、（５００，２９５）
時刻Ｔ４：（１４０，１６０）、（５１０，３００）
【００３０】
ユーザ操作受付部１０３が、一連の操作を示すユーザ操作情報から画面操作アクションを特定する（Ｓ１１）。
ここでは、ユーザ操作受付部１０３は、ユーザ操作情報から、画面操作アクションとして、操作「ピンチアウト」、拡大率「１．４７」及び拡大中心（３３０，２３８）を特定したものとする。
なお、拡大率は、一連の操作の開始時にタッチされた座標間の距離と、一連の操作の終了時にタッチされた座標間の距離との比率である。拡大中心は、一連の操作の開始時にタッチされた座標間の中心である。
【００３１】
次に、操作応答管理部１０４が、画面操作アクションから追従動作を行う画面表示要素と、追従動作とを判定する（Ｓ１２）。
ここでは、操作応答管理部１０４が、図３に示されている表示要素情報１０１ａにおいて、拡大中心の座標を表示領域に含む表示要素を、追従動作を行う表示要素として判定する。図３の例では、拡大中心がフロアマップの表示領域に含まれることから、操作応答管理部１０４は、フロアマップを、追従動作を行う表示要素とする。なお、表示要素の表示領域は、位置列１０１ｃ及びサイズ列１０１ｄにより特定される。また、ここで選定される表示要素は複数でもよい。
また、操作応答管理部１０４は、操作「ピンチアウト」及び拡大率「１．４７」から、拡大率を「１．４７」として「拡大」する動作を、追従動作として判定する。
【００３２】
次に、操作応答管理部１０４は、追従表示情報作成部１０５及び表示要素再描画部１１１に追従動作を行う表示要素を通知する（Ｓ１３）。
ここでは、追従動作を行う表示要素として、「フロアマップ」が追従表示情報作成部１０５に通知される。なお、追従動作を行う表示要素である「フロアマップ」を第１の表示要素ともいい、その他の表示要素である「全体フロアマップ」及び「マップ表示位置」を第２の表示要素ともいう。
【００３３】
次に、追従表示情報作成部１０５が、追従動作を行う表示要素の追従表示情報を追従表示情報記憶部１０６に格納する（Ｓ１４）。
図６（Ａ）の例では、フロアマップの表示方法を示す情報のみが追従表示情報として追従表示情報記憶部１０６に格納され、右上の全体フロアマップ及びマップ表示位置の表示方法を示す情報は除かれる。
なお、図６（Ａ）の例では、フロアマップの画像が画面サイズと同じサイズであるが、フロアマップの画像の方が画面サイズよりも大きく、表示装置１３１の画面に収まっていない状態であっても、追従表示情報記憶部１０６には表示要素の全体を表示する表示方法を示す追従表示情報が記憶される。
【００３４】
次に、操作応答管理部１０４は、追従動作を示す動作情報を追従描画実行部１０７に通知する（Ｓ１５）。
ここでは、動作情報として、拡大率「１．４７」とする拡大の追従動作を示す動作情報が通知される。
【００３５】
次に、追従描画実行部１０７は、追従表示情報記憶部１０６に記憶されている追従表示情報に基づいて、画面表示情報記憶部１０８に記憶されている画面表示情報を更新する（Ｓ１６）。
ここでは、追従描画実行部１０７は、追従表示情報記憶部１０６に記憶されている追従表示情報に対して拡大率「１．４７」とする拡大処理を実施する。これにより、追従表示情報は、フロアマップの全体に対して追従動作が行われた場合の表示方法を示すように追従表示情報を更新する。そして、追従描画実行部１０７は、更新された追従表示情報から表示装置１３１に表示する部分のみを表示する表示方法を特定することで、画面表示情報を生成する。そして、追従描画実行部１０７は、生成された画面表示情報を画面表示情報記憶部１０８に格納する。
【００３６】
次に、画面描画部１０９は、画面表示情報記憶部１０８に記憶されている画面表示情報に基づいて、表示装置１３１に表示する画像を描画して、描画された画像を示す表示データを生成する（Ｓ１７）。ここでは、図６（Ｂ）に示されているような画像ＩＭ２の表示データが生成される。このような表示データは、表示Ｉ／Ｆ部１１０から表示装置１３１に出力されて、画像ＩＭ２が表示される。画面表示情報の基になった追従表示情報には、フロアマップの画像データのみが含まれているため、画像ＩＭ２には、全体フロアマップ及びマップ表示位置は表示されない。
【００３７】
そして、ユーザ操作受付部１０３は、ユーザによる一連の操作が終了したか否かを判断する（Ｓ１８）。一連の操作が終了していない場合（Ｓ１８でＮｏ）には、処理はステップＳ１５に戻り、ステップＳ１５〜Ｓ１８の処理が繰り返される。一方、一連の操作が終了した場合には、処理はステップＳ１９に進む。
【００３８】
ステップＳ１９では、表示要素再描画部１１１は、表示要素記憶部１０１に記憶されている表示要素情報を参照して、操作応答管理部１０４から通知された表示要素以外の表示要素も表示されるように画面表示情報記憶部１０８に記憶されている画面表示情報を更新する。
【００３９】
そして、画面描画部１０９は、画面表示情報記憶部１０８に記憶されている画面表示情報に基づいて、描画処理を行う（Ｓ２０）。これにより、表示装置１３１には、図６（Ｃ）に示されているような画像ＩＭ３が表示される。画像ＩＭ３には、フロアマップの他に、全体フロアマップ及びマップ表示位置も表示されている。
【００４０】
以上のように、表示制御装置１００は、アニメーションを実行する際、アニメーションの対象となる表示要素を抽出した状態で予め追従表示情報を作成しておくことで、現表示情報を直接参照して加工及び更新する方法と同等の処理速度で、アニメーション対象外の表示要素を意図しない状態で描画することなく、アニメーション処理を実現することができる。
【００４１】
以上に記載した図５のフローチャートは、ユーザが一連の操作としてピンチアウトを入力した場合を例に説明したが、本実施の形態は、このような例に限定されない。
例えば、ユーザが一連の操作としてスクロールを入力した場合には、例えば、ステップＳ１１において、ユーザ操作受付部１０３は、ユーザ操作情報から、画面操作アクションとして、操作「スクロール」、移動量及びスクロール開始座標を特定する。
そして、ステップＳ１２では、操作応答管理部１０４は、スクロール開始座標に基づいて、追従動作を行う表示要素を決定するとともに、表示要素を「移動量」だけ「移動」する動作を、追従動作として決定する。
【００４２】
なお、本実施の形態では、予め追従表示情報を作成しておき、追従描画実行部１０７は、追従表示情報に従って画面表示情報を更新するものとしたが、追従描画実行部１０７が画面表示情報を直接参照して加工及び更新を行ってもよい。この場合、スクロール及び縮小等新規に表示する要素が増えるアニメーションの場合は、新規表示エリアのみ追従動作を行う表示要素を描画する処理を実行する。本実施の形態と比較すると、追従表示情報記憶部１０６のためのメモリ容量を確保する必要がないが、新規表示エリアに描画を実行するための処理負荷が増大するトレードオフ関係となる。
【００４３】
以上のように本実施の形態によれば、一連の操作に追従する変化を画面に表示する際に、一連の操作の対象ではない表示要素は、画面に表示されない。このため、高速で画面表示を更新することができ、一連の操作に対応するアニメーションをスムーズに表示することができる。
【００４４】
また、本実施の形態によれば、一連の操作が終了した場合には、操作対象とはならなかった表示要素が再度表示されるため、一連の操作後のユーザの操作に支障を生ずることはない。
【００４５】
さらに、本実施の形態によれば、一連の操作の対象となった表示要素の追従表示情報を記憶部に記憶してから、その画像に対して一連の操作に追従する変化に対応する処理を施すため、一連の操作の対象とはならなかった表示要素を画面から容易に削除することができる。
【００４６】
また、本実施の形態によれば、一連の操作の対象となった表示要素の追従表示情報の全体に、一連の操作に追従する変化に対応する処理が施されるため、その後のユーザの操作に容易に対応することができる。
【符号の説明】
【００４７】
１００  表示制御装置、  １０１  表示要素記憶部、  １０２  入力Ｉ／Ｆ部、  １０３  ユーザ操作受付部、  １０４  操作応答管理部、  １０５  追従表示情報作成部、  １０６  追従表示情報記憶部、  １０７  追従描画実行部、  １０８  画面表示情報記憶部、  １０９  画面描画部、  １１０  表示Ｉ／Ｆ部、  １１１  表示要素再描画部、  １３０  入力装置、  １３１  表示装置。
【図１】
2018025850.tif 000003
【図２】
2018025850.tif 000004
【図３】
2018025850.tif 000005
【図４】
2018025850.tif 000006
【図５】
2018025850.tif 000007
【図６】
2018025850.tif 000008